(57)【要約】【課題】環境の管理における電力使用量を削減する環境管理装置、環境管理プログラム及び環境管理方法を提供することを目的としている。【解決手段】外気の温度及び湿度の実測値と、所定時間後の前記温度及び湿度の予報値とを取得する状態取得部と、所定の環境を規定する条件が格納された記憶部を参照し、前記実測値の前記条件からの逸脱の度合いを示す第一の逸脱度合いと、前記予報値の前記条件からの逸脱の度合いを示す第二の逸脱度合いと、を算出する逸脱度合い算出部と、前記第一の逸脱度合いと前記第二の逸脱度合いとから判定される、前記逸脱の度合いの変化の傾向に応じて空調関連設備を制御する制御部と、を有する環境管理装置である。【選択図】図１
2018162947.tif 000002
【特許請求の範囲】
【請求項１】
外気の温度及び湿度の実測値と、所定時間後の前記温度及び湿度の予報値とを取得する状態取得部と、
所定の環境を規定する条件が格納された記憶部を参照し、前記実測値の前記条件からの逸脱の度合いを示す第一の逸脱度合いと、前記予報値の前記条件からの逸脱の度合いを示す第二の逸脱度合いと、を算出する逸脱度合い算出部と、
前記第一の逸脱度合いと前記第二の逸脱度合いとから判定される、前記逸脱の度合いの変化の傾向に応じて空調関連設備を制御する制御部と、を有する環境管理装置。
【請求項２】
前記制御部は、
前記変化の傾向が、前記条件が示す範囲に前記温度及び湿度が近づいていく傾向である場合は、前記空調関連設備の状態を維持する制御を行い、
前記変化の傾向が、前記条件が示す範囲から前記温度及び湿度が遠ざかる傾向である場合は、前記温度及び湿度を前記条件が示す範囲に近づける制御を行う、請求項１記載の環境管理装置。
【請求項３】
前記第一の逸脱度合いが所定値以下である場合に、
前記逸脱度合い算出部は、前記第二の逸脱度合いを算出し、前記制御部は、前記変化の傾向を算出し、
前記第一の逸脱度合いが前記所定値より大きい場合に、
前記制御部は、前記空調関連設備が設置された室内の温度と湿度を、前記条件が示す範囲に近づける制御を行う、請求項２記載の環境管理装置。
【請求項４】
前記制御部は、
前記第一の逸脱度合いが前記条件を満たす場合に、
前記空調関連設備が設置された室内に、前記外気を取り込ませるように、前記空調関連設備を制御する、請求項１乃至３の何れか一項に記載の環境管理装置。
【請求項５】
前記空調関連設備を操作するコントローラに対する操作の履歴を示す操作履歴情報を取得する操作履歴取得部と、
前記操作履歴情報と、前記空調関連設備が設置された室内の温度及び湿度と、に基づき、前記条件を、前記操作の履歴が反映された条件に更新する反映部と、を有する請求項１乃至４の何れか一項に記載の環境管理装置。
【請求項６】
外気の温度及び湿度の実測値と、所定時間後の前記温度及び湿度の予報値とを取得する処理と、
所定の環境を規定する条件が格納された記憶部を参照し、前記実測値の前記条件からの逸脱の度合いを示す第一の逸脱度合いと、前記予報値の前記条件からの逸脱の度合いを示す第二の逸脱度合いと、を算出する処理と、
前記第一の逸脱度合いと前記第二の逸脱度合いとから判定される、前記逸脱の度合いの変化の傾向に応じて空調関連設備を制御する処理と、コンピュータに実行させる環境管理プログラム。
【請求項７】
コンピュータによる環境管理方法であって、該コンピュータが、
外気の温度及び湿度の実測値と、所定時間後の前記温度及び湿度の予報値とを取得し、
所定の環境を規定する条件が格納された記憶部を参照し、前記実測値の前記条件からの逸脱の度合いを示す第一の逸脱度合いと、前記予報値の前記条件からの逸脱の度合いを示す第二の逸脱度合いと、を算出し、
前記第一の逸脱度合いと前記第二の逸脱度合いとから判定される、前記逸脱の度合いの変化の傾向に応じて空調関連設備を制御する、環境管理方法。
【発明の詳細な説明】
【技術分野】
【０００１】
本発明は、環境管理装置、環境管理プログラム及び環境管理方法に関する。
【背景技術】
【０００２】
近年では、データセンタや住宅等において、室内の温度や湿度等を管理することで、室内の環境を予め規定された条件に保つため取り組みが行われている。
【０００３】
例えば、データセンタ等では、サーバルームの温湿度が規定された条件から逸脱しないように管理し、サーバのダウンを防止している。また、住宅等では、人が快適だと感じる条件を規定し、この条件を満たすように空調機器が管理されている。
【０００４】
さらに、このような取り組みでは、電力使用量を抑えつつ条件を満たすために、空調機器を利用するだけでなく、外気の取り込み等も適宜行われている。
【先行技術文献】
【特許文献】
【０００５】
【特許文献１】特開２０１３−２１３３４５号公報
【特許文献２】特開２００２−５４８８号公報
【特許文献３】特開２０１３−９２２９８号公報
【発明の概要】
【発明が解決しようとする課題】
【０００６】
上述した従来の取り組みでは、例えば空調設備の一つであるエアコン等は、始動時に電力を多く使用するため、頻繁に運転・停止を行うと電力使用量が増加する。また、従来の取り組みでは、外気を取り込むために窓や換気口等の開閉を制御する場合も、制御の回数が増えれば電力使用量が増加する。
【０００７】
開示の技術は、環境の管理における電力使用量を削減する環境管理装置、環境管理プログラム及び環境管理方法を提供することを目的としている。
【課題を解決するための手段】
【０００８】
開示の技術は、外気の温度及び湿度の実測値と、所定時間後の前記温度及び湿度の予報値とを取得する状態取得部と、所定の環境を規定する条件が格納された記憶部を参照し、前記実測値の前記条件からの逸脱の度合いを示す第一の逸脱度合いと、前記予報値の前記条件からの逸脱の度合いを示す第二の逸脱度合いと、を算出する逸脱度合い算出部と、前記第一の逸脱度合いと前記第二の逸脱度合いとから判定される、前記逸脱の度合いの変化の傾向を算出に応じて空調関連設備を制御する制御部と、を有する環境管理装置である。
【０００９】
上記各部は、上記各部を手順、上記各部を実現する処理としてコンピュータにより実行させる方法、プログラムを記憶したコンピュータ読み取り可能な記憶媒体とすることもできる。
【発明の効果】
【００１０】
環境の管理における電力使用量を削減できる。
【図面の簡単な説明】
【００１１】
【図１】第一の実施形態の環境管理装置について説明する図である。
【図２】第一の実施形態の環境管理装置のハードウェア構成の一例を示す図である。
【図３】第一の実施形態の状態データベースの一例を示す図である。
【図４】第一の実施形態の設定値データベースの一例を示す図である。
【図５】第一の実施形態の操作履歴データベースの一例を示す図である。
【図６】第一の実施形態の環境管理装置の機能を説明する図である。
【図７】第一の実施形態の環境管理装置の動作を説明する第一のフローチャートである。
【図８】第一の実施形態の環境管理装置の動作を説明する第二のフローチャートである。
【図９】第一の実施形態の環境管理装置の動作を説明する第三のフローチャートである。
【図１０】第一の実施形態の環境管理装置の動作を説明する第四のフローチャートである。
【図１１】第一の実施形態の環境管理装置における快適条件の変更の処理を説明するフローチャートである。
【図１２】第一の実施形態の環境管理装置の動作を説明する第一の図である。
【図１３】第一の実施形態の環境管理装置の動作の手順を説明する第一の図である。
【図１４】第一の実施形態の環境管理装置の動作を説明する第二の図である。
【図１５】第一の実施形態の環境管理装置の動作の手順を説明する第二の図である。
【図１６】第一の実施形態の環境管理装置による快適条件の変更を説明する図である。
【図１７】第一の実施形態の環境管理装置による快適条件の手順を説明する図である。
【図１８】第二の実施形態の環境管理装置について説明する図である。
【発明を実施するための形態】
【００１２】
（第一の実施形態）
以下に図面を参照して、第一の実施形態について説明する。図１は、第一の実施形態の環境管理装置について説明する図である。
【００１３】
図１に示す環境管理装置１００は、例えば、住居やデータセンタ、病院、介護施設等の室内の空調関連設備２００を制御することで、室内の環境を快適に管理しつつ、この管理における電力使用量の削減を図る。
【００１４】
本実施形態の環境管理装置１００は、一般的な据え置き型やノート型のコンピュータであっても良いし、タブレット型のコンピュータであっても良い。また、本実施形態の環境管理装置１００は、スマートフォン等であっても良い。
【００１５】
本実施形態の環境管理装置１００は、空調関連設備２００の状態を検出するためのセンサ群３００と、ＬＡＮ（Local  Area  Network）等を介して接続され、空調関連設備２００の状態を示す状態情報として、センサ群３００から出力されるデータを取得する。
【００１６】
また、環境管理装置１００は、空調関連設備２００を操作するためのリモートコントローラ（以下、リモコン）群４００と、赤外線通信等を行い、空調関連設備２００に対する操作の履歴を示す操作履歴情報を取得する。
【００１７】
さらに、本実施形態の環境管理装置１００は、例えば、インターネット等を介して気象情報を提供する気象情報サービス５００と通信を行い、屋外の環境を示す湿度や温度の実測値や予報値等を取得する。
【００１８】
本実施形態の環境管理装置１００は、状態データベース１１０、設定値データベース１２０、操作履歴データベース１３０、環境管理処理部１４０を有する。
【００１９】
状態データベース１１０は、センサ群３００に含まれるセンサから出力されるデータや、気象情報サービス５００から取得された実測値等が、状態情報として格納される。設定値データベース１２０は、屋外の環境に対する各種の条件を既定するための値が格納される。操作履歴データベース１３０は、リモコン群４００から取得した操作履歴情報が格納される。各データベースの詳細は後述する。
【００２０】
また、本実施形態の環境管理装置１００は、環境管理処理部１４０により、状態データベース１１０と設定値データベース１２０を参照して、屋外の環境が、予め設定された快適条件から逸脱しているか否かを判定する。そして、環境管理処理部１４０は、屋外の環境が快適条件から逸脱している場合には、逸脱の度合いを示す逸脱度合いを算出する。
【００２１】
さらに、本実施形態の環境管理装置１００は、環境管理処理部１４０により、気象情報サービス５００から提供される屋外の温度と湿度の予報値を取得し、この予報値から、逸脱の度合いがどのように変化するかを示す逸脱度合いの変化の傾向を判定する。
【００２２】
そして、本実施形態の環境管理装置１００は、屋外の環境の快適条件からの逸脱度合いと、逸脱度合いの変化の傾向の判定結果に基づき、空調関連設備２００に対する制御を行う。
【００２３】
例えば、本実施形態では、逸脱度合いが所定値より小さく、且つ、逸脱度合いの変化の傾向が減少する傾向にある場合には、空調関連設備に対する制御を行わなくても良い。
【００２４】
このように、本実施形態によれば、屋外の環境の快適条件に対する逸脱度合いと、逸脱度合いの変化の傾向に基づき、空調関連設備を制御することで、不要な空調関連設備の制御を抑制し、電力使用量の削減することができる。
【００２５】
尚、図１の例では、空調関連設備２００は、エア・コンディショナー（以下、エアコン）２１０、窓２２０等であるがこれに限定されない。空調関連設備２００には、例えば、換気扇等も含まれる。本実施形態の空調関連設備２００は、室内に外気を取り込むことができる設備であれば良い。また、空調関連設備２００は、室内への外気の取り込みを支援するような、扇風機、サーキュレータ等を含んでも良い。また、本実施形態の空調関連設備２００は、室内の温度と湿度を検出する機能を有しているものである。
【００２６】
また、本実施形態のセンサ群３００は、例えば、エアコンの稼働状態を検出するエアコン稼働状態センサ３１０、窓の開閉を検出する窓開閉センサ３２０等を含む。また、本実施形態のセンサ群３００は、上述したセンサ以外にも、空調関連設備２００に含まれる設備の状態を検出するためのセンサを含む。
【００２７】
また、本実施形態のセンサ群３００は、例えば、エアコンの稼働状態を検出するエアコン稼働状態センサ３１０、窓の開閉を検出する窓開閉センサ３２０等を含む。また、本実施形態のセンサ群３００は、上述したセンサ以外にも、空調関連設備２００に含まれる設備の状態を検出するためのセンサを含む。
【００２８】
また、本実施形態のリモコン群４００は、例えば、エアコン２１０用のリモコン４１０や、窓２２０の開閉操作を行う窓２２０用のリモコン４２０等を含む。
【００２９】
本実施形態では、このように、室内の環境を管理することで、例えば、エアコンを好まない高齢者が居住している住宅の室内、新生児が滞在している部屋の室内、温度の変化に弱い生物が生息している施設の屋内等の環境を適切に管理することができる。
【００３０】
以下に、図２を参照して、本実施形態の環境管理装置１００のハードウェア構成について説明する。図２は、第一の実施形態の環境管理装置のハードウェア構成の一例を示す図である。
【００３１】
本実施形態の環境管理装置１００は、それぞれバスＢで相互に接続されている入力装置１１、出力装置１２、ドライブ装置１３、補助記憶装置１４、メモリ装置１５、演算処理装置１６及びインターフェース装置１７を含む情報処理装置である。
【００３２】
入力装置１１は、各種の情報の入力を行うためのものである。出力装置１２は、各種の情報の出力（表示）を行うものである。インターフェース装置１７は、モデム、ＬＡＮカード等を含み、ネットワークに接続する為に用いられる。
【００３３】
環境管理プログラムは、環境管理装置１００を制御する各種プログラムの少なくとも一部である。環境管理プログラムは例えば記憶媒体１８の配布やネットワークからのダウンロードなどによって提供される。環境管理プログラムを記録した記憶媒体１８は、ＣＤ−ＲＯＭ、フレキシブルディスク、光磁気ディスク等の様に情報を光学的、電気的或いは磁気的に記録する記憶媒体、ＲＯＭ、フラッシュメモリ等の様に情報を電気的に記録する半導体メモリ等、様々なタイプの記憶媒体を用いることができる。
【００３４】
また、環境管理プログラムは、環境管理プログラムを記録した記憶媒体１８がドライブ装置１３にセットされるとは記憶媒体１８からドライブ装置１３を介して補助記憶装置１４にインストールされる。ネットワークからダウンロードされた環境管理プログラムは、インターフェース装置１７を介して補助記憶装置１４にインストールされる。
【００３５】
補助記憶装置１４は、インストールされた環境管理プログラムを格納すると共に、必要なファイル、データ等を格納する。メモリ装置１５は、コンピュータの起動時に補助記憶装置１４から環境管理プログラムを読み出して格納する。そして、演算処理装置１６はメモリ装置１５に格納された環境管理プログラムに従って、後述するような各種処理を実現している。
【００３６】
尚、例えば、本実施形態の環境管理装置１００がタブレット型のコンピュータや、スマートフォンである場合には、入力装置１１と出力装置１２の代わりに、入力機能と出力機能を有する表示操作装置を有することになる。
【００３７】
次に、本実施形態の環境管理装置１００の有する各データベースについて説明する。環境管理装置１００の有する各データベースは、例えば、補助記憶装置１４に設けられても良い。また、本実施形態では、各データベースは、環境管理装置１００が有するものとしているが、これに限定されない。後述する各データベースは、環境管理装置１００の外部に記憶装置に設けられていても良い。
【００３８】
図３は、第一の実施形態の状態データベースの一例を示す図である。本実施形態の状態データベース１１０は、情報の項目として、日時、屋外環境、関連設備の状態、状態を有する。以下の説明では、これらの項目の値を含む情報を、状態情報と呼ぶ。また、本実施形態では、項目「屋外環境」の値を気象情報と呼び、それ以外の項目の値を設備状態情報と呼ぶ。つまり、本実施形態の状態情報は、気象情報と設備状態情報とを含む。尚、状態情報に含まれる気象情報は、温度と湿度の実測値である。
【００３９】
本実施形態の状態データベース１１０では、状態情報は、空調関連設備２００に含まれる設備毎に、格納されている。図３の例では、空調関連設備２００に含まれるエアコン２１０の状態情報１１０−１が示されている。尚、状態情報１１０−１は、エアコン２１０を特定するための識別子等を含むことで、エアコン２１０と対応付けられていても良い。
【００４０】
また、本実施形態では、状態情報と対応付けられた設備が設置されている場所を特定する情報も含んでも良い。
【００４１】
図３の例では、エアコン２１０は、部屋Ａに設定されることが示されている。したがって、状態情報１１０−１は、エアコン２１０を特定する情報と、エアコン２１０が設定された空間（部屋）を特定する情報と、を含むことになる。
【００４２】
項目「日時」の値は、状態情報を取得した日付と時刻を示す。項目「屋外環境」は、項目「温度」、「湿度」を含む。項目「温度」の値は、気象情報サービス５００から取得した気象情報に含まれる屋外の温度の実測値である。項目「湿度」の値は、気象情報サービス５００から取得した気象情報に含まれる屋外の湿度の実測値である。
【００４３】
項目「関連設備の状態」の値は、空調関連設備２００のうち、状態情報と対応付けられた設備と関連する設備の状態を示す。
【００４４】
状態情報と対応付けられた設備と関連する設備とは、状態情報と対応付けられた設備と、同じ空間（室内）に設けられており、室内の環境を制御するために、状態情報と対応付けられた設備と組み合わせて制御することができる設備である。
【００４５】
図３の例では、項目「関連設備の状態」の値は、状態情報１１０−１と対応付けられた設備であるエアコン２１０と関連する設備である窓２２０の状態を示している。
【００４６】
項目「状態」の値は、状態情報と対応付けられた設備の状態を示す。図３に示す状態情報１１０−１の項目「状態」の値は、状態情報１１０−１と対応付けられたエアコン２１０の状態を示す。
【００４７】
図３の例では、例えば、２／２１の９：００に取得された屋外の温度は２５℃であり、湿度は４０％であり、エアコン２１０と関連する窓２２０は閉まっており、エアコン２１０の運転は停止されていることがわかる。
【００４８】
本実施形態の状態データベース１１０では、状態情報１１０−１と同様に、空調関連設備２００に含まれる窓２２０についても、窓２２０を特定する情報と、窓２２０が設けられた空間（部屋）を特定する情報とを含む、状態情報１１０−１も格納される。
【００４９】
図４は、第一の実施形態の設定値データベースの一例を示す図である。本実施形態の設定値データベース１２０は、情報の項目として、空間、快適環境、許容環境、限界環境、継続限界時間を有する。これらの各項目の値を含む情報を設定値情報と呼ぶ。
【００５０】
項目「空間」の値は、室内の環境の制御の対象となる部屋を特定する情報を示す。具体的には、例えば、部屋毎に割り振られた識別子等であっても良い。
【００５１】
項目「快適環境」、「許容環境」、「限界環境」のそれぞれは、項目「上限温度」、「下限温度」、「上限湿度」、「下限湿度」を有する。
【００５２】
項目「快適環境」が含む項目「上限温度」、「下限温度」、「上限湿度」、「下限湿度」のそれぞれの値は、人が快適と感じると推測される環境を規定する温度の上限値と下限値、湿度の上限値と下限値とを示す。
【００５３】
項目「許容環境」が含む項目「上限温度」、「下限温度」、「上限湿度」、「下限湿度」のそれぞれの値は、この範囲内であれば直ちに不快さを感じない、あるいは直ちに健康に悪影響を及ぼさないと推測される環境を規定する温度の上限値と下限値、湿度の上限値と下限値とを示す。
【００５４】
項目「限界環境」が含む項目「上限温度」、「下限温度」、「上限湿度」、「下限湿度」のそれぞれの値は、人がその場に留まることが困難と推測される環境を規定する温度の上限値と下限値、湿度の上限値と下限値とを示す。
【００５５】
項目「継続限界時間」の値は、限界環境にある室内に人が留まることができる最も長い時間を示す。
【００５６】
図４の例では、部屋Ａにおいては、温度が１７℃〜２８℃であり、湿度が４０％〜７０％である場合を快適環境とする。また、快適環境を示す温度と湿度の範囲を、快適条件と呼ぶ。
【００５７】
また、本実施形態では、温度が１４℃〜３１℃のうち、１７℃〜２８℃の範囲に入らず、湿度が３０％〜８０％のうち、４０％〜７０％の範囲に入らない場合を許容環境とする。また、許容環境を示す温度と湿度の範囲を、許容条件と呼ぶ。
【００５８】
また、本実施形態では、快適条件の上限値／下限値と、許容条件の上限値／下限値の差分を、上限側許容差分／下限側許容差分と呼ぶ。例えば、温度に対する許容差分は、快適条件の上限温度と許容条件の上限温度との差である上限側許容差分が＋３℃となり、快適条件の下限温度と許容条件の下限温度との差である下限側許容差分が−３℃となる。
【００５９】
また、本実施形態では、温度が１０℃〜３２℃のうち、１４℃〜３１℃の範囲に入らず、湿度が２０％〜９０％のうち、３０％〜８０％の範囲に入らない場合を限界環境する。また、限界環境を示す温度と湿度の範囲を、限界条件と呼ぶ。この限界環境において、人は０．５時間以上留まることが許容されないことがわかる。
【００６０】
尚、図４の例では、各条件は、管理対象とされる空間（部屋）と対応付けられるものとしたが、これに限定されない。各条件は、例えば、管理対象とされる部屋に設定された空調関連設備２００毎に対応付けられていても良いし、環境管理装置１００の利用者の識別情報等に対応付けられていても良い。
【００６１】
つまり、本実施形態では、空調関連設備２００毎に、又は、環境管理装置１００の利用者毎に、各条件が設定されても良い。
【００６２】
図５は、第一の実施形態の操作履歴データベースの一例を示す図である。本実施形態の操作履歴データベース１３０は、情報の項目として、操作種類、日時、室内環境を含む。以下の説明では、これらの各項目の値を含む情報を操作履歴情報と呼ぶ。
【００６３】
本実施形態の操作履歴データベース１３０では、操作履歴情報は、空調関連設備２００に含まれる設備毎に、格納されている。図５の例では、空調関連設備２００に含まれるエアコン２１０の操作履歴情報１３０−１が示されている。
【００６４】
項目「操作種類」の値は、操作履歴情報と対応付けられた設備に対する操作の種類を示す。項目「日時」の値は、操作が成された日付と時刻を示す。項目「室内環境」に含まれる項目「温度」、「湿度」の値は、操作がなされた日時における屋外の気温と湿度を示す。
【００６５】
図５の例では、エアコン２１０に対して、２／２１の１０：２５に、エアコン２１０に対して電源をオンする操作が行われ、このときの室内の温度が２９℃であり、湿度が５０％であったことがわかる。
【００６６】
次に、図６を参照して、本実施形態の環境管理装置１００の機能について説明する。図６は、第一の実施形態の環境管理装置の機能を説明する図である。
【００６７】
本実施形態の環境管理装置１００は、環境管理処理部１４０を有する。環境管理処理部１４０は、環境管理装置１００の演算処理装置１６が、メモリ装置１５から環境管理プログラムを読み出して実行することで実現される。
【００６８】
本実施形態の環境管理処理部１４０は、状態取得部１４１、逸脱度合い算出部１４２、第一制御通知部１４３、第二制御通知部１４４、制御予測部１４５、予測制御通知部１４６、機器操作部１４７、操作履歴取得部１４８、設定反映部１４９、出力部１５０を有する。
【００６９】
本実施形態の状態取得部１４１は、状態情報を取得するものであり、設備状態取得部１５１と、気象情報取得部１５２と、を有する。設備状態取得部１５１は、空調関連設備２００の各設備の状態を示す設備状態情報を取得する。気象情報取得部１５２は、気象情報サービス５００から気象情報として、屋外環境の温度（実測値）と湿度（実測値）とを取得する。言い換えれば、気象情報取得部１５２は、外気の温度と湿度の実測値を取得する。
【００７０】
逸脱度合い算出部１４２は、状態データベース１１０と設定値データベース１２０とを参照し、状態取得部１４１が取得した屋外の温度と湿度における快適環境からの逸脱の度合いを算出する。
【００７１】
本実施形態の逸脱度合い算出部１４２は、状態取得部１４１の気象情報取得部１５２により取得された、屋外の温度と湿度の実測値に基づく逸脱度合いの実測値と、屋外の温度と湿度の予報値に基づく逸脱度合いの予報値と、を算出する。逸脱度合い算出部１４２による逸脱度合いの詳細は後述する。
【００７２】
第一制御通知部１４３は、屋外の環境が快適条件を満たす場合における、室内の環境の制御の方法を機器操作部１４７に通知する。具体的には、第一制御通知部１４３は、エアコンを停止させ窓を開ける制御を行うことを通知する。以下の説明では、第一制御通知部１４３からの通知を、第一制御通知と呼ぶ。
【００７３】
第二制御通知部１４４は、屋外の環境が許容条件を満たさない場合における、室内の環境の制御の方法を機器操作部１４７に通知する。具体的には、第二制御通知部１４４は、エアコンの運転を開始し、窓を閉める制御を行うことを通知する。以下の説明では、第二制御通知部１４４からの通知を、第二制御通知と呼ぶ。
【００７４】
制御予測部１４５は、屋外の環境が許容条件を満たす場合における、室内の環境の制御の方法を予測する。具体的には、制御予測部１４５は、気象情報サービス５００から、現在から継続限界時間が経過した時刻の屋外の温度と湿度の予報値を取得し、逸脱度合い算出部１４２に、この予報値に基づく逸脱度合いの予報値を算出させる。
【００７５】
そして、制御予測部１４５は、現在の逸脱度合いの実測値と、継続限界時間が経過した後の逸脱度合いの予報値から、現在から継続限界時間までの逸脱度合いの変化の傾向を判定し、判定結果に応じた制御の方法を予測する。制御予測部１４５による、逸脱度合いの変化の傾向の判定の詳細は後述する。
【００７６】
予測制御通知部１４６は、逸脱度合いの変化の傾向に基づき、制御予測部１４５により予測された制御か、又は、空調関連設備２００の現在の状態を維持する制御か、の何れかを選択し、選択された制御の方法を機器操作部１４７に通知する。以下の説明では、予測制御通知部１４６からの通知を予測制御通知と呼ぶ。
【００７７】
具体的には、予測制御通知部１４６は、変化の傾向が、改善する傾向である場合には、空調関連設備２００の現在の状態を維持する制御を選択し、変化の傾向が、悪化する傾向である場合には、予測された制御を選択する。尚、改善する傾向とは、屋外の環境が快適環境に近づく傾向であり、悪化する傾向とは、屋外の環境が快適環境から逸脱していく傾向である。
【００７８】
機器操作部１４７は、各通知部により通知される制御の方法にしたがって、空調関連設備２００に対する操作の内容を示す操作内容情報を作成する。
【００７９】
操作履歴取得部１４８は、リモコン群４００によって行われた空調関連設備２００に対する操作履歴情報を取得し、操作履歴データベース１３０に格納する。尚、操作履歴取得部１４８は、例えば、リモコン群４００において、操作されたボタンの種類等から、操作の種類を含む操作履歴情報を取得しても良い。
【００８０】
設定反映部１４９は、操作履歴データベース１３０を参照し、リモコン群４００の操作者が行った操作を、快適条件に反映させる。
【００８１】
出力部１５０は、機器操作部１４７により作成された操作内容情報を、空調関連設備２００に対する操作指示として、リモコン群４００に出力し、リモコン群４００によって空調関連設備２００を操作させても良い。また、出力部１５０は、機器操作部１４７により作成された操作内容情報を、環境管理装置１００の出力装置１２等に出力させても良い。
【００８２】
以上のように、本実施形態では、第一制御通知部１４３、第二制御通知部１４４、制御予測部１４５、予測制御通知部１４６、機器操作部１４７、出力部１５０が、空調関連設備２００を制御する制御部として機能していると言える。
【００８３】
次に、本実施形態の逸脱度合い算出部１４２による逸脱度合いの算出について説明する。本実施形の逸脱度合い算出部１４２は、屋外の環境の温度と湿度の実測値に基づく逸脱度合いの実測値と、温度と湿度の予報値に基づく逸脱度合いの予報値を算出する。
【００８４】
尚、以下の説明では、温度と湿度の実測値に基づき算出された逸脱度合いを実測値逸脱度合いと呼び、温度と湿度の予報値に基づき算出された逸脱度合いを予報値逸脱度合いと呼ぶ。
【００８５】
以下に、実測値逸脱度合いを算出する式（１）と、予報値逸脱度合いを算出する式（２）と、を示す。
【００８６】
式（１）は、時刻ｔにおける気象情報（温度、湿度）の実測値が、快適条件からどの程度逸脱しているかを示すものである。本実施形態の逸脱度合い算出部１４２は、温度についての実測値逸脱度合いと、湿度についての実測値逸脱度合いとを算出するものとした。
【００８７】
式（２）は、未来の時刻ｔにおける気象情報（温度、湿度）の予報値が、快適条件からどの程度逸脱しているかを示すものである。本実施形態の逸脱度合い算出部１４２は、温度についての予報値逸脱度合いと、湿度についての予報値逸脱度合いとを算出するものとした。
【００８８】
また、本実施形態では、温度と湿度で実測値逸脱度合いが異なる場合、絶対値が大きい方の値を、時刻ｔの実測値逸脱度合いとする。予報値逸脱度合い（ｔ）についても、同様とする。
【００８９】
本実施形態では、実測値逸脱度合い（ｔ）の絶対値が０となる場合は、気象情報が快適条件を満たすことを示し、絶対値が１未満となる場合は、許容条件を満たすことを示し、絶対値が１より大きい場合は許容条件を満たさない、つまり、限界環境であることを示す。
【００９０】
【数１】
2018162947.tif 000003
【００９１】
【数２】
2018162947.tif 000004
【００９２】
尚、式（１）、（２）において、Ｃ＿ｕｐｐｅｒは、快適条件の上限温度又は上限湿度であり、Ｃ＿ｌｏｗｅｒは、快適条件の下限温度又は下限湿度である。また、式（１）、（２）において、ＶａｌＲ（ｔ）は、時刻ｔでの屋外の環境の温度又は湿度の実測値であり、ＶａｌＦ（ｔ）は、時刻ｔでの屋外の環境の温度又は湿度の予報値である。
【００９３】
次に、本実施形態の制御予測部１４５による逸脱度合いの変化の傾向の判定について説明する。
【００９４】
本実施形態の制御予測部１４５は、逸脱度合い算出部１４２により算出された、時刻ｔの実測値逸脱度合いと、予報値逸脱度合いとから、以下の式（３）により、逸脱度合いの変化の傾向を判定する。尚、式（３）は、温度と湿度の両方に適用される。また、式（３）において、Ｎは、継続限界時間である。
【００９５】
【数３】
2018162947.tif 000005
【００９６】
次に、本実施形態の環境管理装置１００の動作について説明する。始めに、図７乃至図１０を参照し、環境管理装置１００による空調関連設備２００の制御について説明する。
【００９７】
図７は、第一の実施形態の環境管理装置の動作を説明する第一のフローチャートである。図７は、環境管理装置１００における、環境管理処理部１４０による空調関連設備２００の制御の流れを示している。尚、本実施形態の環境管理装置１００は、図７に示す処理を、定期的に実行しても良いし、環境管理装置１００の利用者の指示等により実行しても良い。
【００９８】
本実施形態の環境管理処理部１４０は、状態取得部１４１により、状態情報を取得し、状態情報を取得した時刻と共に、状態データベース１１０に格納する（ステップＳ７０１）。
【００９９】
より具体的には、状態取得部１４１は、設備状態取得部１５１により、センサ群３００から空調関連設備２００であるエアコン２１０の稼働状態や窓２２０の開閉状態等を示す設備状態情報を取得する。また、状態取得部１４１は、気象情報取得部１５２により屋外の気象情報（温度、湿度の実測値）を取得する。そして、状態取得部１４１は、設備状態情報と、気象情報とを、日時と対応付けて状態データベース１１０に格納する。
【０１００】
続いて、環境管理処理部１４０は、逸脱度合い算出部１４２により、設定値データベース１２０を参照し、制御対象となる空間（部屋）と対応付けられた快適条件を取得する（ステップＳ７０２）。
【０１０１】
尚、本実施形態では、環境管理処理部１４０による処理が実行される際に、制御対象となる空調関連設備２００が指定されても良いし、管理対象となる空間が指定されても良い。図７の処理では、管理対象として、部屋Ａが指定されたものとしている。
【０１０２】
続いて、環境管理処理部１４０は、逸脱度合い算出部１４２により、ステップＳ７０２で取得した快適条件と、ステップＳ７０１で取得した気象情報とに基づき、実測値逸脱度合いを算出する（ステップＳ７０３）。ここで、ステップＳ７０１で取得した気象情報と対応付けられた時刻をｔとすると、算出される実測値逸脱度合いは、時刻ｔの実測値逸脱度合い（ｔ）となる。
【０１０３】
また、ここで算出される実測値逸脱度合い（ｔ）は、温度の実測値逸脱度合いと湿度の実測値逸脱度合いのうち、値が大きい方の実測値逸脱度合いである。
【０１０４】
続いて、環境管理処理部１４０は、逸脱度合い算出部１４２により、実測値逸脱度合い（ｔ）の絶対値が、０であるか、１より大きいか、１以下であるか、を判定する（ステップＳ７０４）。
【０１０５】
ステップＳ７０４において、実測値逸脱度合い（ｔ）の絶対値が０である場合、屋外の気象情報は、快適条件を満たしている。したがって、この場合、環境管理処理部１４０は、第一制御通知部１４３により、管理対象の部屋Ａと対応するエアコン２１０を停止させ、窓を開ける制御を行う第一制御通知を機器操作部１４７に通知し（ステップＳ７０５）、後述するステップＳ７０９へ進む。
【０１０６】
つまり、環境管理処理部１４０は、部屋Ａの室内の温度と湿度を、外気の温度及び湿度に近づけるように、空調関連設備２００を制御する。言い換えれば、環境管理処理部１４０は、部屋Ａの室内に外気を取り込ませるように、空調関連設備２００を制御する。
【０１０７】
ステップＳ７０４において、実測値逸脱度合い（ｔ）の絶対値が１より大きい場合、屋外の気象情報は、許容条件を満たしておらず、限界環境にあることを示す。したがって、環境管理処理部１４０は、第二制御通知部１４４により、管理対象の部屋Ａと対応するエアコン２１０の運転を開始し、窓を閉める制御を行う第二制御通知を機器操作部１４７に通知し（ステップＳ７０６）、後述するステップＳ７０９へ進む。
【０１０８】
つまり、環境管理処理部１４０は、部屋Ａの室内の温度と湿度を、快適環境に近づけるように、空調関連設備２００を制御する。
【０１０９】
ステップＳ７０４において、実測値逸脱度合い（ｔ）の絶対値が１以下にある場合、屋外の気象情報は、許容条件を満たしており、許容環境にあることを示す。したがって。環境管理処理部１４０は、制御予測部１４５により、快適条件に対する屋外の環境の逸脱度合いの変化の傾向を判定し、判定結果に基づく制御の方法を予測する（ステップＳ７０７）。
【０１１０】
続いて、環境管理処理部１４０は、予測制御通知部１４６により、ステップＳ７０７で予測された制御の方法を、変化の傾向の判定結果に応じて機器操作部１４７に通知する（ステップＳ７０８）。
【０１１１】
ステップＳ７０５、７０６、７０８に続いて、環境管理処理部１４０は、機器操作部１４７により、通知に基づき、空調関連設備２００の操作の内容を決定し、空調関連設備２００を制御して（ステップＳ７０９）、処理を終了する。
【０１１２】
次に、ステップＳ７０７〜ステップＳ７０９のそれぞれの処理について説明する。図８は、第一の実施形態の環境管理装置の動作を説明する第二のフローチャートである。図８は、ステップＳ７０７における制御予測部１４５の処理の詳細を示している。
【０１１３】
本実施形態の制御予測部１４５は、気象情報取得部１５２により、設定値データベース１２０を参照し、管理対象とされている部屋と対応付けられた継続限界時間を取得し、継続限界時間後の時刻（ｔ＋Ｎ）気象情報の（予報値）を取得する（ステップＳ８０１）。続いて、制御予測部１４５は、逸脱度合い算出部１４２により、ステップＳ８０１で取得した予報値を用いて、予報値逸脱度合い（ｔ＋Ｎ）を算出する（ステップＳ８０２）。続いて、制御予測部１４５は、実測値逸脱度合い（ｔ）の絶対値と、予報値逸脱度合い（ｔ＋Ｎ）の絶対値とを比較する（ステップＳ８０３）。
【０１１４】
ステップＳ８０３において、実測値逸脱度合い（ｔ）の絶対値のほうが、予報値逸脱度合い（ｔ＋Ｎ）の絶対値よりも大きい場合、制御予測部１４５は、エアコン２１０を停止して、窓２２０を開ける、という制御の方法を予測して、この方法を保持し（ステップＳ８０４）、後述するステップＳ８０６へ進む。
【０１１５】
本実施形態では、実測値逸脱度合い（ｔ）の絶対値のほうが、予報値逸脱度合い（ｔ＋Ｎ）の絶対値よりも大きい場合とは、逸脱度合いの変化は、小さくなる傾向にある。この場合は、屋外の環境が、快適条件に近づいてきていることを示す。言い換えれば、この場合は、逸脱度合いの変化の傾向は、屋外の環境が改善されていく傾向にあることを示す。
【０１１６】
よって、この場合、制御予測部１４５は、外気を室内に取り入れるように、エアコン２１０を停止して、窓２２０を開ける、という制御の方法を予測する。
【０１１７】
ステップＳ８０３において、実測値逸脱度合い（ｔ）の絶対値が、予報値逸脱度合い（ｔ＋Ｎ）の絶対値以上である場合、制御予測部１４５は、エアコン２１０を運転し、窓２２０を閉める、という制御の方法を予測して、この方法を保持し（ステップＳ８０５）、後述するステップＳ８０６へ進む。
【０１１８】
本実施形態では、実測値逸脱度合い（ｔ）の絶対値が、予報値逸脱度合い（ｔ＋Ｎ）の絶対値以上である場合とは、逸脱度合いの変化は、大きくなる傾向にある。この場合は、屋外の環境が、快適条件から逸脱していくことを示す。言い換えれば、この場合は、逸脱度合いの変化の傾向は、屋外の環境が悪化する傾向にあることを示す。
【０１１９】
よって、この場合、制御予測部１４５は、外気を室内に取り入れずに、室内の温湿度を制御するように、エアコン２１０を運転して、窓２２０を閉める、という制御の方法を予測する。
【０１２０】
続いて、制御予測部１４５は、ステップＳ８０４又はステップＳ８０５で予測した制御の方法と、判定した変化の傾向とを、予測環境管理方法と逸脱度合いの変化傾向に設定し（ステップＳ８０６）、処理を終了する。
【０１２１】
図９は、第一の実施形態の環境管理装置の動作を説明する第三のフローチャートである。図９は、ステップＳ７０８における予測制御通知部１４６の処理の詳細を示している。
【０１２２】
本実施形態の予測制御通知部１４６は、制御予測部１４５により設定された予測環境管理方法と、変化傾向を取得する（ステップＳ９０１）。
【０１２３】
続いて、予測制御通知部１４６は、取得した変化傾向が、悪化する傾向であるか、又は、改善する傾向／変化無しであるか否かを判定する（ステップＳ９０２）。
【０１２４】
ステップＳ９０２において、変化傾向が悪化する傾向であった場合、予測制御通知部１４６は、制御予測部１４５により予測された予測環境管理方法を、予測制御通知として機器操作部１４７に通知し（ステップＳ９０３）、処理を終了する。
【０１２５】
ステップＳ９０２において、変化傾向が改善する傾向／変化無しであった場合、予測制御通知部１４６は、ステップＳ７０１で取得した状態情報に含まれる設備状態情報を参照し、制御対象の空調関連設備２００の現在の状態を取得する（ステップＳ９０４）。
【０１２６】
続いて、予測制御通知部１４６は、現在の空調関連設備２００の状態を維持する制御の方法を、予測制御通知として機器操作部１４７に通知し（ステップＳ９０５）、処理を終了する。
【０１２７】
図１０は、第一の実施形態の環境管理装置の動作を説明する第四のフローチャートである。図１０は、ステップＳ７０９における機器操作部１４７の処理の詳細を示している。
【０１２８】
本実施形態の機器操作部１４７は、各通知部の何れかから通知を受けると、状態データベース１１０を最新の状態に更新する（ステップＳ１００１）。
【０１２９】
続いて、機器操作部１４７は、第一制御通知を受けたか否かを判定し（ステップＳ１００２）、第一制御通知を受けた場合は第一制御通知を取得して（ステップＳ１００３）、後述するステップＳ１００７へ進む。
【０１３０】
ステップＳ１００２において、第一制御通知を受けていない場合、機器操作部１４７は、第二制御通知を受けた否かを判定し（ステップＳ１００４）、第二制御通知を受けた場合は第二制御通知を取得して（ステップＳ１００５）、後述するステップＳ１００７へ進む。
【０１３１】
ステップＳ１００４において、第二制御通知を受けていない場合、機器操作部１４７は、予測制御通知を取得して（ステップＳ１００６）、後述するステップＳ１００７へ進む。
【０１３２】
機器操作部１４７は、第一制御通知、第二制御通知、予測制御通知の何れかの通知を取得すると、状態データベース１１０を参照し、制御対象の空調関連設備２００の状態が、取得した制御通知によって示された状態となるような操作内容を示す操作内容情報を作成する（ステップＳ１００７）。続いて、機器操作部１４７は、操作内容情報を出力部１５０により出力させ（ステップＳ１００８）、処理を終了する。
【０１３３】
以上のように、本実施形態の環境管理装置１００では、屋外の環境が快適条件から逸脱している場合であっても、逸脱が小さく、かつ、逸脱が小さくなる傾向にある場合は、空調関連設備２００に対する制御を行わない。本実施形態では、この判断を行った時に、エアコン２１０が停止していれば、エアコン２１０を停止した状態を継続するので、エアコンに対する運転・停止の回数を抑制できる。したがって、本実施形態によれば、室内の環境の管理における電力使用量を削減することができる。
【０１３４】
次に、図１１を参照して、本実施形態の環境管理装置１００における、リモコン群４００の操作履歴に応じた快適条件の変更について説明する。
【０１３５】
図１１は、第一の実施形態の環境管理装置における快適条件の変更の処理を説明するフローチャートである。図１１に示す処理は、図７乃至図１０で説明した処理とは独立して行われる。また、図１１では、リモコン群４００のうち、エアコン用のリモコン４１０に対する操作がされた場合の操作履歴情報を用いて、快適条件の変更を行う場合を示している。
【０１３６】
本実施形態の環境管理処理部１４０は、リモコン４１０が操作される度に、操作履歴取得部１４８により、操作されたボタンの種類に応じた操作履歴情報を作成し、操作履歴データベース１３０に格納する（ステップＳ１１０１）。
【０１３７】
続いて、環境管理処理部１４０は、操作履歴データベース１３０にＮ回分の操作履歴情報が格納されると、設定反映部１４９により、状態データベース１１０からエアコン２１０と対応付けられた最新の状態情報を取得する。また、設定反映部１４９は、空調関連設備２００によって検出される屋外の気温と湿度とを取得し、ステップＳ１１０１で追加したレコードに温湿度を設定する（ステップＳ１１０２）。
【０１３８】
続いて、環境制御処理部１４０は、Ｎ回分の操作履歴情報が格納されたボタンが存在するか否かを判定する（ステップＳ１１０３）。ここで、Ｎ回分の操作履歴情報とは、操作されたボタンの種類毎のＮ回分の操作履歴情報とする。具体的には、例えば、「冷房ボタン」に対する操作を示すＮ回分の操作履歴情報、「暖房ボタン」対する操作を示すＮ回分の操作履歴情報、「除湿ボタン」対する操作を示すＮ回分の操作履歴情報を示す。
【０１３９】
ステップＳ１１０３において、Ｎ回分の操作履歴情報が格納されたボタンが存在しない場合、環境制御処理部１４０は、ステップＳ１１０１へ戻る。
【０１４０】
ステップＳ１１０３において、該当するボタンが存在するとき、環境管理処理部１４０は、操作されたボタンの種類が冷房ボタンである場合（ステップＳ１１０４）、設定反映部１４９により、設定値データベース１２０を参照し、操作履歴データベース１３０から冷房ボタンが押下された時の操作履歴情報を取得し、取得した操作履歴情報の屋外環境の温度と、快適条件の上限温度との差（ｉ）を算出し、保持する（ステップＳ１１０５）。尚、ここで、設定反映部１４９は、ｉ＝１，２，・・，Ｎとし、Ｎ回分の差を算出する。
【０１４１】
続いて、設定反映部１４９は、Ｎ回分の差（ｉ）の平均値Ａｖを算出する（ステップＳ１１０６）。
【０１４２】
続いて、設定反映部１４９は、新たな快適条件を算出し、設定値データベース１２０において、対応する快適条件を変更し（ステップＳ１１０７）、処理を終了する。
【０１４３】
具体的には、設定反映部１４９は、快適条件の上限温度に対して平均値Ａｖを加算した温度を、新たな快適条件の上限温度とする。尚、設定反映部１４９は、快適条件の上限温度に対して平均値Ａｖを加算した温度が、限界条件の上限温度を超える場合には、限界条件の上限温度を新たな快適条件の上限温度とする。
【０１４４】
ステップＳ１１０４において、操作されたボタンの種類が暖房ボタンである場合、設定反映部１４９は、設定値データベース１２０を参照し、操作履歴データベース１３０から暖房ボタンが押下された時の操作履歴情報を取得し、取得した操作履歴情報の屋外環境の温度と、快適条件の下限温度との差（ｉ）を算出する（ステップＳ１１０８）。尚、ここで、設定反映部１４９は、ｉ＝１，２，・・，Ｎとし、Ｎ回分の差を算出する。
【０１４５】
続いて、設定反映部１４９は、Ｎ回分の差（ｉ）の平均値Ａｖを算出し、保持する（ステップＳ１１０９）。
【０１４６】
続いて、設定反映部１４９は、新たな快適条件を算出し、設定値データベース１２０において、対応する快適条件を変更し（ステップＳ１１１０）、処理を終了する。
【０１４７】
具体的には。設定反映部１４９は、快適条件の下限温度に対して平均値Ａｖを加算した温度を、新たな快適条件の下限温度とする。尚、設定反映部１４９は、快適条件の上限温度に対して平均値Ａｖを加算した温度が、限界条件の下限温度を超える場合には、限界条件の下限温度を新たな快適条件の下限温度とする。
【０１４８】
ステップＳ１１０４において、操作されたボタンの種類が除湿ボタンである場合、設定反映部１４９は、設定値データベース１２０を参照し、操作履歴データベース１３０から除湿ボタンが押下された時の操作履歴情報を取得し、取得した操作履歴情報の屋外環境の温度と、快適条件の上限湿度との差（ｉ）を算出する（ステップＳ１１１１）。尚、ここで、設定反映部１４９は、ｉ＝１，２，・・，Ｎとし、Ｎ回分の差を算出する。
【０１４９】
続いて、設定反映部１４９は、Ｎ回分の差（ｉ）の平均値Ａｖを算出し、保持する（ステップＳ１１１２）。
【０１５０】
続いて、設定反映部１４９は、新たな快適条件を算出し、設定値データベース１２０において、対応する快適条件を変更し（ステップＳ１１１３）、処理を終了する。
【０１５１】
具体的には。設定反映部１４９は、快適条件の上限湿度に対して平均値Ａｖを加算した湿度を、新たな快適条件の上限湿度とする。尚、設定反映部１４９は、快適条件の上限湿度に対して平均値Ａｖを加算した湿度が、限界条件の上限湿度を超える場合には、限界条件の上限湿度を新たな快適条件の上限湿度とする。
【０１５２】
以上のように、本実施形態では、リモコン群４００に対する操作履歴情報に基づき、快適条件を変更することができる。したがって、本実施形態によれば、管理対象となる部屋毎や、環境管理装置１００の利用者毎等に、快適条件を個々のケースに合わせて更新することができる。よって、本実施形態によれば、固定された快適条件に従って空調関連設備２００の制御を行う場合と比べて、空調関連設備２００の制御の回数を減らすことができる。
【０１５３】
このため、本実施形態によれば、室内の環境の管理における電力使用量を削減することができる。
【０１５４】
以下に、本実施形態の環境管理装置１００による空調関連設備２００の制御について、さらに具体的に説明する。
【０１５５】
図１２は、第一の実施形態の環境管理装置の動作を説明する第一の図である。図１２では、制御予測部１４５により予測された制御が予測制御通知部１４６により選択された場合の例を示している。
【０１５６】
図１２の例では、快適条件は温度が１７℃〜２８℃、湿度は４０％〜７０％であり、温度の上限側許容差分が＋３℃、下限側許容差分が−３℃であり、湿度の上限側許容差分が＋１０％、下限側許容差分が−１０％であるものとする。
【０１５７】
また、図１２の例では、時刻ｔの設備状態情報が示すエアコン２１０の状態は「停止」、窓２２０の状態は「開く」、気象情報が示す温度と湿度は、３０℃、６５％とし、継続限界時間である１時間後の温度と湿度の予報値は、３１℃、６３％であるものとする。
【０１５８】
この場合、環境管理装置１００は、出力装置１２に、「エアコンをつけて、窓を閉めましょう」という操作内容（メッセージ）１２１を表示させる。そして、環境管理装置１００は、操作内容１２１を示す操作内容情報にしたがって、リモコン４１０とリモコン４２０に対して操作指示を行い、該当する操作をエアコン２１０と窓２２０に対して行う。
【０１５９】
以下に、図１３を参照して、図１２に示す状態で環境管理装置１００が行う動作の手順を説明する。図１３は、第一の実施形態の環境管理装置の動作の手順を説明する第一の図である。
【０１６０】
本実施形態の環境管理装置１００の環境管理処理部１４０は、状態取得部１４１により、時刻ｔの設備状態情報である、エアコン２１０の状態「停止」、窓２２０の状態「開く」と、気象情報が示す温度３０℃と湿度６５％を取得する（ステップＳ１３０１）。
【０１６１】
次に、環境管理処理部１４０は、逸脱度合い算出部１４２により、温度と湿度について、実測値逸脱度合い（ｔ）を算出する（ステップＳ１３０２）。ここで、気温の実測値は、快適条件の上限温度より高いため、温度の実測値逸脱度合い（ｔ）は、（３０−２８）／３＝０．６６６・・となり、１より小さい値となる。また、湿度の実測値は、快適条件の範囲内であるため、湿度の実測値逸脱度合い（ｔ）はゼロとなる。よって、ここでは、実測値逸脱度合い（ｔ）は、１より小さい値の０．６６６・・となる。
【０１６２】
次に、環境管理処理部１４０は、実測値逸脱度合い（ｔ）が１より小さいため、制御予測部１４５は、逸脱度合いの変化の傾向が算出し、予測した制御の方法を保持する（ステップＳ１３０３）。
【０１６３】
制御予測部１４５は、継続限界時間である１時間後の温度と湿度の予報値である３１℃、６３％を取得する。そして、制御予測部１４５は、逸脱度合い算出部１４２によって、予報値逸脱度合い（ｔ＋Ｎ）を算出させる。
【０１６４】
ここで、湿度の予報値は、快適環境の範囲内であるため、湿度の予報値逸脱度合い（ｔ＋Ｎ）はゼロとなる。また、温度の予報値は、快適条件の上限温度より高いため、温度の予報値逸脱度合い（ｔ＋Ｎ）は、（３１−２８）／３＝１となる。
【０１６５】
したがって、この場合には、｜実測値逸脱度合い（ｔ）｜＜｜予報値逸脱度合い（ｔ＋Ｎ）｜となり、屋外の環境は、悪化する傾向にあることがわかる。
【０１６６】
よって、制御予測部１４５は、変化傾向「悪化」と、予測した制御の方法「エアコン２１０を運転し、窓２２０を閉める」を保持する。
【０１６７】
次に、環境管理処理部１４０は、予測制御通知部１４６により、制御予測部１４５が保持した変化傾向に応じて、機器操作部１４７に対して予測制御通知を行う（ステップＳ１３０４）。
【０１６８】
ここで、制御予測部１４５に保持された変化傾向は「悪化」である。したがって、予測制御通知部１４６は、制御予測部１４５に保持された制御の方法を示す通知を、予測制御通知として、機器操作部１４７へ渡す。
【０１６９】
機器操作部１４７は、予測制御通知を受けて、状態データベース１１０を参照し、予測制御通知が示す状態となるように、空調関連設備２００に対する操作内容を示す操作内容情報を作成する（ステップＳ１３０５）。
【０１７０】
ここで、予測制御通知が示す内容は、「エアコン２１０を運転し、窓２２０を閉める」である。これに対し、現在の設備状態情報では、エアコン２１０の状態は「停止」、窓２２０の状態は「開く」となっている。
【０１７１】
よって、機器操作部１４７は、予測制御通知が示す内容と、設備状態情報が示す内容とを比較し、操作内容情報「エアコン２１０を運転し、窓２２０を閉める」を作成する。
【０１７２】
このような処理によって、図１２では、出力装置１２に操作内容１２１が表示されることになる。
【０１７３】
次に、図１４を参照して、本実施形態の環境管理装置１００による空調関連設備２００の制御の別の例について、説明する。
【０１７４】
図１４は、第一の実施形態の環境管理装置の動作を説明する第二の図である。図１４では、制御予測部１４５により予測された制御が予測制御通知部１４６により選択されず、現状を維持する制御が選択された場合の例を示している。
【０１７５】
図１４では、温度と湿度の快適条件温度、上限側許容差分、下限側許容差分は、図１２の例と同じである。また、図１４では、時刻ｔの設備状態情報が示すエアコン２１０の状態と、窓２２０の状態、気象情報が示す温度と湿度、継続限界時間も、図１２の例と同じである。
【０１７６】
また、図１４では、継続限界時間である１時間後の温度と湿度の予報値は、２９℃、６８％であるものとする。
【０１７７】
この場合、環境管理装置１００は、出力装置１２に、「このままの状態を維持しましょう（エアコンは停止させたまま、窓は開けたままにしましょう）」という操作内容（メッセージ）１２２を表示させる。
【０１７８】
以下に、図１５を参照して、図１４に示す状態で環境管理装置１００が行う動作の手順を説明する。図１５は、第一の実施形態の環境管理装置の動作の手順を説明する第二の図である。
【０１７９】
図１５のステップＳ１５０１とステップＳ１５０２の処理は、図１３のステップＳ１３０１とステップＳ１３０２の処理と同様であるから、説明を省略する。
【０１８０】
ステップＳ１５０２において、実測値逸脱度合い（ｔ）は、０．６６６・・・と１より小さいため、制御予測部１４５は、逸脱度合いの変化の傾向が算出し、予測した制御の方法を保持する（ステップＳ１５０３）。
【０１８１】
このとき、制御予測部１４５は、継続限界時間である１時間後の温度と湿度の予報値である２９℃、６５％を取得する。そして、制御予測部１４５は、逸脱度合い算出部１４２によって、予報値逸脱度合い（ｔ＋Ｎ）を算出させる。
【０１８２】
ここで、湿度の予報値は、快適環境の範囲内であるため、湿度の予報値逸脱度合い（ｔ＋Ｎ）はゼロとなる。また、温度の予報値は、快適条件の上限温度より高いため、温度の予報値逸脱度合い（ｔ＋Ｎ）は、（２９−２８）／３＝０．３３３・・・となる。
【０１８３】
したがって、この場合には、｜実測値逸脱度合い（ｔ）｜＞｜予報値逸脱度合い（ｔ＋Ｎ）｜となり、屋外の環境は、改善する傾向にあることがわかる。
【０１８４】
よって、制御予測部１４５は、変化傾向「改善」と、予測した制御の方法「エアコン２１０を停止し、窓２２０を開ける」を保持する。
【０１８５】
予測制御通知部１４６は、制御予測部１４５が保持する変化傾向「改善」から、空調関連設備２００の状態を現在の状態に維持する制御を選択する（ステップＳ１５０４）。
【０１８６】
ここで、予測制御通知部１４６は、状態データベース１１０から最新の設備状態情報を取得し、この設備状態情報を維持するような制御の方法を示す予測制御通知を作成する。ここでは、最新の設備状態情報は「エアコン２１０の状態は「停止」、窓２２０の状態は「開く」」である。よって、予測制御通知部１４６は、「エアコンを停止」、窓を開く」という内容の予測制御通知を行う。
【０１８７】
機器操作部１４７は、「エアコンを停止」、窓を開く」という通知を受けて、設備状態情報と比較した結果、一致しているため、「現状維持（エアコンは停止した状態、窓は開けた状態）」という操作内容の操作内容情報を生成する（ステップＳ１５０５）。
【０１８８】
このように、本実施形態では、屋外の環境が快適条件から逸脱していた場合でも、逸脱度合いが所定の値より小さく、且つ、逸脱度合いの変化の傾向が、快適条件に近づいてくる改善傾向である場合には、空調関連設備２００の制御を行わない。
【０１８９】
したがって、本実施形態によれば、空調関連設備２００の制御の回数を抑制することができるため、室内の環境の管理における電力使用量を削減することができる。
【０１９０】
次に、図１６、図１７を参照し、本実施形態の環境管理装置１００における快適条件の変更について、具体的に説明する。
【０１９１】
図１６は、第一の実施形態の環境管理装置による快適条件の変更を説明する図である。図１６では、快適条件は温度が１７℃〜２８℃、湿度は４０％〜７０％であり、温度の上限側許容差分が＋３℃、下限側許容差分が−３℃であり、湿度の上限側許容差分が＋１０％、下限側許容差分が−１０％であるものとする。また、図１６の例では、限界条件は温度が１０℃〜３２℃、湿度は２０％〜９０％とした。
【０１９２】
図１６の例では、Ｎ＝３とし、エアコン２１０に対して「冷房」の操作を行った操作履歴情報が３回分蓄積された場合に、快適条件が１７℃〜３１．３℃に変更されている。また、図１６では、１回目の操作において、エアコン２１０により検出された室内の温度は３０℃であり、２回目の操作において、エアコン２１０により検出された室内の温度は３１℃であり、３回目の操作において、エアコン２１０により検出された室内の温度は３２℃であるものとした。
【０１９３】
図１７は、第一の実施形態の環境管理装置による快適条件の変更を説明する図である。
【０１９４】
本実施形態の環境管理処理部１４０は、リモコン４１０において、「冷房」のボタンが操作されると、操作履歴取得部１４８により、操作の種類と、操作が行われた時刻とを対応付けた操作履歴情報を生成し、操作履歴データベース１３０へ格納する（ステップＳ１７０１）。このとき取得された操作履歴情報は、１回目の操作履歴情報である。このとき、エアコン２１０により検出された室温は３０℃であるため、操作履歴情報には、室内温度３０℃が設定される。
【０１９５】
次に、エアコン２１０に対して「冷房」の操作がなされると、操作履歴取得部１４８は、２回目の操作履歴情報を生成する（ステップＳ１７０２）。このとき、エアコン２１０により検出された室温は３１℃であるため、操作履歴情報には、室内温度３１℃が設定される。
【０１９６】
次に、エアコン２１０に対して「冷房」の操作がなされると、操作履歴取得部１４８は、３回目の操作履歴情報を生成する（ステップＳ１７０３）。このとき、エアコン２１０により検出された室温は３１℃であるため、操作履歴情報には、室内温度３３℃が設定される。
【０１９７】
次に、設定反映部１４９は、３回分の操作履歴情報に含まれる室内温度と、快適条件の上限値との差を算出する（ステップＳ１７０４）。
【０１９８】
この場合、快適条件の上限温度は２８℃であるから、１回目の操作履歴情報を取得したときの差は、３０−２８＝２となる。また、２回目の操作履歴情報を取得したときの差は、３１−２８＝３となる。また、３回目の操作履歴情報を取得したときの差は、３３−２８＝５となる。
【０１９９】
続いて、設定反映部１４９は、３回分の差の平均値Ａｖを算出する（ステップＳ１７０５）。ここでは、平均値Ａｖ＝（２＋３＋５）／３＝３．３となる。
【０２００】
続いて、設定反映部１４９は、快適条件の上限温度に平均値Ａｖを加算し、その結果が限界温度の上限温度より低ければ、この温度を新たな快適条件の上限温度とする（ステップＳ１７０６）。
【０２０１】
快適条件の上限温度２８℃に、平均値Ａｖを加算した温度は、３１．３℃である。この温度は、限界条件の上限温度３２℃より低い。したがって、設定反映部１４９は、３１．３℃を新たな快適条件の上限温度とする。したがって、快適条件は、１７℃〜３１．３℃に変更される。
【０２０２】
以上のように、本実施形態によれば、操作履歴情報に応じて快適条件を変更することができるため、設定されたままの快適条件に合わせて空調関連設備２００を制御するよりも、室内をより快適に環境とすることができる。
【０２０３】
（第二の実施形態）
以下に図面を参照して、第二の実施形態について説明する。第二の実施形態では、気象情報（実測値）を気象情報サービス５００からではなく、例えば住宅やデータセンタ等に設置された温湿度センサから取得する点のみ、第一の実施形態と相違する。よって、以下の第二の実施形態の説明では、第一の実施形態との相違点についてのみ説明し、第一の実施形態と同様の機能構成を有するものには、第一の実施形態の説明で用いた符号と同様の符号を付与し、その説明を省略する。
【０２０４】
図１８は、第二の実施形態の環境管理装置について説明する図である。本実施形態では、センサ群３００Ａに、温湿度センサ３３０が含まれる。
【０２０５】
温湿度センサ３３０は、例えば、屋内に設けられていても良いし、屋外に設けられていても良いが、ここで検出される温度と湿度は、屋外の温度と湿度の実測値となる。
【０２０６】
本実施形態の環境管理装置１００Ａの環境管理処理部１４０Ａは、屋外の環境の温度と湿度である気象情報を取得する際に、気象情報サービス５００からではなく、温湿度センサ３３０から取得する。
【０２０７】
したがって、本実施形態では、屋外の環境の温度と湿度の予報値を用いた制御予測部１４５による処理を行わない場合には、気象情報サービス５００と通信を行わずに、空調関連設備２００を制御することができる。
【０２０８】
尚、予報値を用いた制御予測部１４５による処理を行わない場合とは、屋外の環境が快適条件を満たすか、又は、屋外の環境が快適条件から大きく逸脱している場合である。
【０２０９】
したがって、本実施形態によれば、気象情報を取得するための通信の負荷を低減することができる。
【０２１０】
尚、上述した各実施形態では、環境管理装置は、室内の環境の管理を行うものとして記載したが、これに限定されない。各実施形態の環境管理装置は、例えば、運動競技場やイベントホール等のように、例えば一部が囲われており、空調関連設備２００が設けられているように施設であれば、その環境の管理に適用することができる。
【０２１１】
開示の技術では、以下に記載する付記のような形態が考えられる。
（付記１）
外気の温度及び湿度の実測値と、所定時間後の前記温度及び湿度の予報値とを取得する状態取得部と、
所定の環境を規定する条件が格納された記憶部を参照し、前記実測値の前記条件からの逸脱の度合いを示す第一の逸脱度合いと、前記予報値の前記条件からの逸脱の度合いを示す第二の逸脱度合いと、を算出する逸脱度合い算出部と、
前記第一の逸脱度合いと前記第二の逸脱度合いとから判定される、前記逸脱の度合いの変化の傾向に応じて空調関連設備を制御する制御部と、を有する環境管理装置。
（付記２）
前記制御部は、
前記変化の傾向が、前記条件が示す範囲に前記温度及び湿度が近づいていく傾向である場合は、前記空調関連設備の状態を維持する制御を行い、
前記変化の傾向が、前記条件が示す範囲から前記温度及び湿度が遠ざかる傾向である場合は、前記温度及び湿度を前記条件が示す範囲に近づける制御を行う、付記１記載の環境管理装置。
（付記３）
前記第一の逸脱度合いが所定値以下である場合に、
前記逸脱度合い算出部は、前記第二の逸脱度合いを算出し、前記制御部は、前記変化の傾向を算出し、
前記第一の逸脱度合いが前記所定値より大きい場合に、
前記制御部は、前記空調関連設備が設置された室内の温度と湿度を、前記条件が示す範囲に近づける制御を行う、付記２記載の環境管理装置。
（付記４）
前記制御部は、
前記第一の逸脱度合いが前記条件を満たす場合に、
前記空調関連設備が設置された室内に、前記外気を取り込ませるように、前記空調関連設備を制御する、付記１乃至３の何れか一項に記載の環境管理装置。
（付記５）
前記状態取得部は、
前記空調関連設備の状態を示す設備状態情報を取得する設備状態情報取得部を有し、
前記制御部は、
前記空調関連設備に対する制御の内容と、前記設備状態情報と、に基づき、前記空調関連設備に対する操作の内容を示す操作内容情報を生成する機器操作部と、
前記操作内容情報を出力する出力部と、を有する、付記１乃至４の何れか一項に記載の環境管理装置。
（付記６）
前記出力部は、
前記空調関連設備を操作するコントローラに対し、前記操作内容情報に基づく操作指示を出力して、前記コントローラに前記空調関連設備を操作させる、付記５記載の環境管理装置。
（付記７）
前記出力部は、
前記操作内容情報に基づく操作指示を表示部に表示させる、付記５又は６記載の環境管理装置。
（付記８）
前記コントローラに対する操作の履歴を示す操作履歴情報を取得する操作履歴取得部と、
前記操作履歴情報と、前記空調関連設備が設置された室内の温度及び湿度と、に基づき、前記条件を、前記操作の履歴が反映された条件に更新する反映部と、を有する付記１乃至６の何れか一項に記載の環境管理装置。
（付記９）
外気の温度及び湿度の実測値と、所定時間後の前記温度及び湿度の予報値とを取得する処理と、
所定の環境を規定する条件が格納された記憶部を参照し、前記実測値の前記条件からの逸脱の度合いを示す第一の逸脱度合いと、前記予報値の前記条件からの逸脱の度合いを示す第二の逸脱度合いと、を算出する処理と、
前記第一の逸脱度合いと前記第二の逸脱度合いとから判定される、前記逸脱の度合いの変化の傾向に応じて空調関連設備を制御する処理と、コンピュータに実行させる環境管理プログラム。
（付記１０）
コンピュータによる環境管理方法であって、該コンピュータが、
外気の温度及び湿度の実測値と、所定時間後の前記温度及び湿度の予報値とを取得し、
所定の環境を規定する条件が格納された記憶部を参照し、前記実測値の前記条件からの逸脱の度合いを示す第一の逸脱度合いと、前記予報値の前記条件からの逸脱の度合いを示す第二の逸脱度合いと、を算出し、
前記第一の逸脱度合いと前記第二の逸脱度合いとから判定される、前記逸脱の度合いの変化の傾向に応じて空調関連設備を制御する、環境管理方法。
【０２１２】
本発明は、具体的に開示された実施形態に限定されるものではなく、特許請求の範囲から逸脱することなく、種々の変形や変更が可能である。
【符号の説明】
【０２１３】
１００、１００Ａ  環境管理装置
１１０  状態データベース
１２０  設定値データベース
１３０  操作履歴データベース
１４０、１４０Ａ  環境管理処理部
１４１  状態取得部
１４２  逸脱度合い算出部
１４３  第一制御通知部
１４４  第二制御通知部
１４５  制御予測部
１４６  予測制御通知部
１４７  機器操作部
１４８  操作履歴取得部
１４９  設定反映部
１５０  出力部
２００  空調関連設備
３００  センサ群
４００  リモコン群４００
５００  気象情報サービス
【図１】
2018162947.tif 000006
【図２】
2018162947.tif 000007
【図３】
2018162947.tif 000008
【図４】
2018162947.tif 000009
【図５】
2018162947.tif 000010
【図６】
2018162947.tif 000011
【図７】
2018162947.tif 000012
【図８】
2018162947.tif 000013
【図９】
2018162947.tif 000014
【図１０】
2018162947.tif 000015
【図１１】
2018162947.tif 000016
【図１２】
2018162947.tif 000017
【図１３】
2018162947.tif 000018
【図１４】
2018162947.tif 000019
【図１５】
2018162947.tif 000020
【図１６】
2018162947.tif 000021
【図１７】
2018162947.tif 000022
【図１８】
2018162947.tif 000023